(57)【要約】【課題】  パネルを積載したり運搬する時にコーナーに取付けるコーナー材であって、パネル厚さが変化してもパネル面との間に隙間を残すことなく取付出来るコーナー材の提供。【解決手段】  コーナー材は両外側面１，１と上底面２及び下底面３を有し、上底面２と下底面３には伸縮可能な繋ぎ部４ａ，４ｂを設けて両外側面１，１の間隔を拡大できるようにしている。【選択図】    図１
2006111290.tif 000002
【特許請求の範囲】
【請求項１】
パネルを積載したり運搬する時にコーナーに取付けるコーナー材において、コーナー材は両外側面と上底面及び下底面を有し、上底面と下底面には伸縮可能な繋ぎ部を設けて両外側面の間隔を拡大できるようにしたことを特徴とするパネル積載用コーナー材。
【請求項２】
上記繋ぎ部を湾曲した繋ぎ片にて形成した請求項１記載のパネル積載用コーナー材。
【請求項３】
上記繋ぎ部を湾曲した４個の繋ぎ片にて構成し、隣合う２個の繋ぎ片同士を中央位置にて連結した請求項１、又は請求項２記載のパネル積載用コーナー材。                                                                        
【発明の詳細な説明】
【技術分野】
【０００１】
本発明はパネルを積載する際に、パネルの角部を保護する為のコーナー材に関するものである。
【背景技術】
【０００２】
ドアなどのパネル体を搬送する場合には、その表面にキズが付かないように、又取扱い易いように梱包される。特に搬送時に損傷し易い角部にはコーナー材が取付けられている。該コーナー材にも色々あり、最も一般的な形態はＬ型に屈曲したキャップであって、しかもパネル面に突起を有している場合もある為に、該パネルを積み重ねた際に突起が他のパネル面に当らないようにコーナー材の側部厚みと成っている。
【０００３】
コーナー材はダンボールを折り曲げて形成することも出来るが、一般的には樹脂を材質とした成形品として構成されている。特開平１１−１５７５６９号に係る「梱包用コーナー材」は、ドアパネル等の板状体の各角部に取付けるコーナー材であって、一枚の段ボールを所定形状に裁断すると共に、折り曲げた箱型形状としている。すなわち、一枚の段ボールを所定形状に裁断すると共に、所定の箇所を折り曲げて底部、側部、及び背部を有す箱形とし、上記底部は下底面と上底面から成り、側部は間に空間を有す内側面と外側面及び繋ぎ面から成り、背部は外背面、左右中背面、それに内背面にて構成している。
【０００４】
該梱包用コーナー材は両側部間距離が一定である為に、パネル厚さが変わった場合には取付けることが出来ない。すなわち、パネル厚さが大きくなると取付け不能と成り、小さくなると取付けたコーナー材は外れ落ちてしまう。又、段ボールを材質としている為に耐荷重は小さく、多くのパネルを積み上げることは出来ない。
【０００５】
図４は従来から使用されているコーナー材で樹脂の成形品であり、同図は背面と正面からの斜視図を夫々表している。形状は両外側面(イ)、(イ)を有して上底面(ロ)と下底面(ハ)が垂直に交差するＬ型を成し、外側面(イ)、(イ)には内側へ傾斜して延びる係止片(ニ)、(ニ)を設けている。又、下底面(ハ)には当り部(ホ)、(ホ)が外側面(ニ)、(ニ)に沿って設けられている。
【０００６】
そこで、このコーナー材をパネルの各コーナーに取付ける場合、両外側面(イ)、(イ)の間隔以内のパネル厚さでなくてはならない。しかも両係止片(ニ)、(ニ)の先端間距離より大きい厚さであることが必要となる。すなわち、該コーナー材がパネルコーナーに嵌って取付けられるに際して、係止片(ニ)、(ニ)はパネル面に当って外れないように取付けられる。
【０００７】
勿論、両外側面(イ)、(イ)の間隔以上の厚さを持つパネルコーナーに取付けることは出来ないが、薄いパネルコーナーに取付けた場合、係止片(ニ)、(ニ)がパネル面に係止することで外れ防止は図られるが、パネル面と外側面(イ)との間に隙間が残り、この隙間の為に複数枚のパネルを積み上げた場合には積み上げ高さが隙間分だけ高くなる。しかも、隙間が残ることでコーナー材にパネル荷重が直接作用し、該コーナー材が強度的に耐えることが出来ないこともある。
【特許文献１】特開平１１−１５７５６９号に係る「梱包用コーナー材」
【発明の開示】
【発明が解決しようとする課題】
【０００８】
このように、従来のコーナー材には上記のごとき問題がある。本発明が解決しようとする課題はこの問題点であり、パネル厚さが変化してもコーナーに安定して取付けることが出来、しかもパネル面と外側面との間に隙間が残ることのないコーナー材を提供する。
【課題を解決するための手段】
【０００９】
本発明に係るコーナー材は前記図４に示す従来のコーナー材と基本的な構造は同じであって、両外側面と上底面、及び下底面から成っている。しかし、外側面には係止片を設けておらず、その代わり両外側面間距離が変化する構成と成っている。すなわち、両外側面を繋ぐ上底面と下底面には繋ぎ部を設け、該繋ぎ部の繋ぎ片は伸縮変形することで、両外側面の間隔が変化する。ここで、上記繋ぎ片の形状は特に限定しないことにする。
【発明の効果】
【００１０】
本発明に係るコーナー材はパネルの各コーナーに取付けられ、該パネルを搬送したり、積み上げて保管する場合に該コーナーを保護することが出来る。そして、上底面及び下底面には繋ぎ部が設けられて伸縮することが出来るために、両外側面間距離は変化する。従って、パネルの厚さが変わっても何ら問題なくパネルコーナーにコーナー材を取付けることが出来、しかも外側面はパネル面に常に接し、パネル面との間に隙間を残すことはない。その結果、パネルを積み上げた場合に高くならず、パネル重量がコーナー材に作用して破損するといった問題は発生しない。
【実施例】
【００１１】
図１は本発明に係るコーナー材を表す実施例である。１は外側面、２は上底面、３は下底面を表し、樹脂を材質とした成形品である。樹脂の種類は色々あるが、例えばポリプロピレンとポリエチレンを混合した樹脂を材質とすることが出来る。外側面１の形状が概略三角形を成し、両外側面１，１の間隔を拡大することが出来るように、上底面２及び下底面３には伸縮可能な繋ぎ部４を形成している。
【００１２】
繋ぎ部４は滑らかに湾曲した複数の繋ぎ片にて構成され、該繋ぎ片の湾曲形状が変化することで、両外側面１，１間距離を拡大することが出来る。すなわち、両外側面１，１を外方向へ引っ張るならば、繋ぎ片が変形して拡大することが出来る。又、下底面側には当り部７，７が外側面１，１に面して設けられ、繋ぎ部４は当り部７，７を繋いでいる。
【００１３】
図２には下底面３と上底面２を夫々表しているように、下底面３に設けている繋ぎ部４ａは４個の繋ぎ片５ａ，５ｂ，５ｃ，５ｄから成っている。すなわち、４個の繋ぎ片５ａ，４ｂ・・が等間隔で配列され、繋ぎ片５ａと繋ぎ片５ｂは連結され、同じく繋ぎ片５ｃと繋ぎ片５ｄも連結している。そして、繋ぎ片５ａは中央湾曲部と側部湾曲部が連続して形成され、これら湾曲部は両外側面１，１を引っ張るならば変形して延びることが出来る。
【００１４】
図２(ｂ)には上底面２に設けている繋ぎ部４ｂを表しているが、該繋ぎ部４ｂは４個の繋ぎ片６ａ，６ｂ・・を配列している。そして、該繋ぎ片６ａは下底面３に設けた繋ぎ片５ａとはその形状を異にし、大きな湾曲部を形成し、繋ぎ片６ａと繋ぎ片６ｂは互いに連結し、同じく繋ぎ片６ｃと繋ぎ片６ｄも連結している。従って、両外側面１，１を引っ張るならば、各繋ぎ片６ａ，６ｂ・・の湾曲部は伸び変形することが出来る。
【００１５】
この実施例では、下底面側の繋ぎ片５ａ，５ｂ・・の形状と上底面側の繋ぎ片６ａ，６ｂ・・の形状を異にしているが、大きな湾曲部で形成している上底面側の繋ぎ片６ｂの方が伸び変形し易くなる。すなわち、パネルコーナーに取付けるに際して、両側面１，１が開き易く成っている。
【００１６】
ところで、本発明では該繋ぎ部４の形状は限定せず、例えば波形形状とすることも出来る。しかし、外側面１，１を引っ張ることで繋ぎ部４が伸び易い湾曲部形状の方が好ましい。
【００１７】
図３はコーナー材をパネルコーナーに取付けた場合を示している。このように、コーナー材は両外側面１，１を開いて取付けられるが、伸縮可能な繋ぎ部４ａ，４ｂを下底面３と上底面２に設けることで、パネル面に一定の弾性力を付勢した状態で挟み込むことが出来る。従って、パネル面とコーナー材の外側面との間に隙間は存在せず、安定した取付けが行われる。勿論、パネル厚さが変化する場合であっても、取付けることが可能である。
【図面の簡単な説明】
【００１８】
【図１】本発明に係るコーナー材を示す実施例。
【図２】コーナー材に設けている繋ぎ部形態。
【図３】コーナー材をパネルコーナーに取付けた場合。
【図４】従来のコーナー材。
【符号の説明】
【００１９】
１  外側面
２  上底面
３  下底面
４  繋ぎ部
５  繋ぎ片
６  繋ぎ片
７  当り部
【図１】
2006111290.tif 000003
【図２】
2006111290.tif 000004
【図３】
2006111290.tif 000005
【図４】
2006111290.tif 000006